【手続補正書】
【提出日】平成16年4月13日(2004.4.13)
【手続補正１】
【補正対象書類名】明細書
【補正対象項目名】特許請求の範囲
【補正方法】変更
【補正の内容】
【特許請求の範囲】
【請求項１】
画像データを管理する画像処理装置であって、
前記画像データの画像特徴量を抽出する抽出手段と、
前記抽出手段で抽出された画像特徴量と前記画像データとの対応を画像特徴量インデックスに記憶する第１記憶手段と、
画像データの検索に用いる検索情報が前記画像データに付加されている場合、該検索情報と該画像データとの対応を検索情報インデックスに記憶する第２記憶手段と、
所望の画像データを検索するための検索条件を入力する入力手段と、
前記入力手段で入力された検索条件に対応する検索情報を持つ画像データを、前記検索情報インデックスを参照して検索する第１検索手段と、
前記第１検索手段による検索結果に応じて、新たな検索条件を設定し該第１検索手段による検索を繰り返し実行する実行手段と、
前記実行手段による実行回数を監視し、その監視結果に応じて前記第１検索手段で検索される画像データを取得する取得手段と、
前記取得手段で取得された画像データの画像特徴量に基づいて、前記画像特徴量インデックスを参照し、該画像データに類似する画像データを検索する第２検索手段と、
前記取得手段で取得された画像データと、前記第２検索手段で検索された画像データに基づいて、前記検索条件に該当する画像データを表示する表示手段と
を備えることを特徴とする画像処理装置。
【請求項２】
概念毎に同義語・類義語を管理する同義語・類義語・概念辞書を記憶する第３記憶手段を更に備える
ことを特徴とする請求項１に記載の画像処理装置。
【請求項３】
前記実行手段は、前記入力手段で入力された検索条件で画像データが検索されない場合、前記同義語・類義語・概念辞書を参照して該検索条件の概念のレベルの次の概念のレベルの同義語・類義語を獲得し、該獲得した同義語・類義語を新たな検索条件として設定する
ことを特徴とする請求項２に記載の画像処理装置。
【請求項４】
前記実行手段は、前記入力手段で入力された検索条件で画像データが検索されない場合、前記同義語・類義語・概念辞書を参照して該検索条件の概念のレベルから所定の概念のレベル内の同義語・類義語を獲得し、該獲得した同義語・類義語を新たな検索条件として設定する
ことを特徴とする請求項２に記載の画像処理装置。
【請求項５】
前記表示手段は、前記検索条件に該当する画像データを縮小画像で表示する
ことを特徴とする請求項１に記載の画像処理装置。
【請求項６】
前記表示手段で表示される縮小画像のいずれかが選択され、その選択した縮小画像の原寸画像の表示が要求された場合、前記第２記憶手段は、前記検索条件を該縮小画像に対応する画像データの検索情報として、該画像データと対応づけて前記検索情報インデックスに記憶する
ことを特徴とする請求項５に記載の画像処理装置。
【請求項７】
画像データを管理する画像処理装置の制御方法であって、
前記画像データの画像特徴量を抽出する抽出工程と、
前記抽出工程で抽出された画像特徴量と前記画像データとの対応を画像特徴量インデックスに記憶する第１記憶工程と、
画像データの検索に用いる検索情報が前記画像データに付加されている場合、該検索情報と該画像データとの対応を検索情報インデックスに記憶する第２記憶工程と、
所望の画像データを検索するための検索条件を入力する入力工程と、
前記入力工程で入力された検索条件に対応する検索情報を持つ画像データを、前記検索情報インデックスを参照して検索する第１検索工程と、
前記第１検索工程による検索結果に応じて、新たな検索条件を設定し該第１検索工程による検索を繰り返し実行する実行工程と、
前記実行工程による実行回数を監視し、その監視結果に応じて前記第１検索工程で検索される画像データを取得する取得工程と、
前記取得工程で取得された画像データの画像特徴量に基づいて、前記画像特徴量インデックスを参照し、該画像データに類似する画像データを検索する第２検索工程と、
前記取得工程で取得された画像データと、前記第２検索工程で検索された画像データに基づいて、前記検索条件に該当する画像データを表示する表示工程と
を備えることを特徴とする画像処理装置の制御方法。
【請求項８】
概念毎に同義語・類義語を管理する同義語・類義語・概念辞書を第３記憶媒体に記憶する第３記憶工程を更に備える
ことを特徴とする請求項７に記載の画像処理装置の制御方法。
【請求項９】
前記実行工程は、前記入力工程で入力された検索条件で画像データが検索されない場合、前記同義語・類義語・概念辞書を参照して該検索条件の概念のレベルの次の概念のレベルの同義語・類義語を獲得し、該獲得した同義語・類義語を新たな検索条件として設定する
ことを特徴とする請求項８に記載の画像処理装置の制御方法。
【請求項１０】
前記実行工程は、前記入力工程で入力された検索条件で画像データが検索されない場合、前記同義語・類義語・概念辞書を参照して該検索条件の概念のレベルから所定の概念のレベル内の同義語・類義語を獲得し、該獲得した同義語・類義語を新たな検索条件として設定する
ことを特徴とする請求項８に記載の画像処理装置の制御方法。
【請求項１１】
前記表示工程は、前記検索条件に該当する画像データを縮小画像で表示することを特徴とする請求項７に記載の画像処理装置の制御方法。
【請求項１２】
前記表示工程で表示される縮小画像のいずれかが選択され、その選択した縮小画像の原寸画像の表示が要求された場合、前記第２記憶工程は、前記検索条件を該縮小画像に対応する画像データの検索情報として、該画像データと対応づけて前記検索情報インデックスに記憶する
ことを特徴とする請求項１１に記載の画像処理装置の制御方法。
【請求項１３】
画像データを管理する画像処理装置の制御のプログラムコードが格納されたコンピュータ可読メモリであって、
前記画像データの画像特徴量を抽出する抽出工程のプログラムコードと、
前記抽出工程で抽出された画像特徴量と前記画像データとの対応を画像特徴量インデックスに記憶する第１記憶工程のプログラムコードと、
画像データの検索に用いる検索情報が前記画像データに付加されている場合、該検索情報と該画像データとの対応を検索情報インデックスに記憶する第２記憶工程のプログラムコードと、
所望の画像データを検索するための検索条件を入力する入力工程のプログラムコードと、
前記入力工程で入力された検索条件に対応する検索情報を持つ画像データを、前記検索情報インデックスを参照して検索する第１検索工程のプログラムコードと、
前記第１検索工程による検索結果に応じて、新たな検索条件を設定し該第１検索工程による検索を繰り返し実行する実行工程のプログラムコードと、
前記実行工程による実行回数を監視し、その監視結果に応じて前記第１検索工程で検索される画像データを取得する取得工程のプログラムコードと、
前記取得工程で取得された画像データの画像特徴量に基づいて、前記画像特徴量インデックスを参照し、該画像データに類似する画像データを検索する第２検索工程のプログラムコードと、
前記取得工程で取得された画像データと、前記第２検索工程で検索された画像データに基づいて、前記検索条件に該当する画像データを表示する表示工程のプログラムコードと
を備えることを特徴とするコンピュータ可読メモリ。
【手続補正２】
【補正対象書類名】明細書
【補正対象項目名】０００７
【補正方法】変更
【補正の内容】
【０００７】
また、好ましくは、前記実行手段は、前記入力手段で入力された検索条件で画像データが検索されない場合、前記同義語・類義語・概念辞書を参照して該検索条件の概念のレベルから所定の概念のレベル内の同義語・類義語を獲得し、該獲得した同義語・類義語を新たな検索条件として設定する。


【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、好ましくは、前記表示手段は、前記検索条件に該当する画像データを縮小画像で表示する。


【手続補正５】
【補正対象書類名】明細書
【補正対象項目名】００１０
【補正方法】変更
【補正の内容】
【００１０】
また、好ましくは、前記表示手段で表示される縮小画像のいずれかが選択され、その選択した縮小画像の原寸画像の表示が要求された場合、前記第２記憶手段は、前記検索条件を該縮小画像に対応する画像データの検索情報として、該画像データと対応づけて前記検索情報インデックスに記憶する。